(57)【要約】【課題】Ｌ字状とされた外壁コーナ材、とりわけコーナ角が９０度より小さい許容範囲内の角度で製作された外壁コーナ材端部を一定幅で切削加工がなし得る外壁コーナ材の加工方法および加工装置を提供する。【解決手段】ガイド定盤３０を用いて外壁コーナ材Ｗ端部を切削加工するものであって、ガイド定盤３０は、なす角が外壁コーナ材Ｗのコーナ角の許容角度より小さい角度とされてなる水平部３１と傾斜部３２とを有し、外壁コーナ材Ｗ端部の上面裏面の切削加工を、同上面裏面をガイド定盤３０の水平部３１に押しつけてなし、外壁コーナ材Ｗ端部の側面裏面の切削加工を、同側面裏面をガイド定盤３０の傾斜部３２に押しつけてなすものである。【選択図】図３
2008200965.tif 000002
【特許請求の範囲】
【請求項１】
ガイド定盤を用いて外壁コーナ材端部を切削加工する外壁コーナ材の加工方法であって、
前記ガイド定盤は、なす角が外壁コーナ材のコーナ角の許容角度より小さい角度とされてなる水平部と傾斜部とを有し、
前記外壁コーナ材端部の上面裏面の切削加工を、同上面裏面を前記ガイド定盤の水平部に押しつけてなし、
前記外壁コーナ材端部の側面裏面の切削加工を、同側面裏面を前記ガイド定盤の傾斜部に押しつけてなす
ことを特徴とする外壁コーナ材の加工方法。
【請求項２】
外壁コーナ材の角をガイド定盤の角に押しつけてなすことを特徴する請求項１記載の外壁コーナ材の加工方法。
【請求項３】
外壁コーナ材の加工装置であって、端部加工部を備え、
前記端部加工部が、外壁コーナ材端部の切削をなす端部切削機構と、その切削をガイドする水平部と傾斜部とを有するガイド定盤とを備え、
前記水平部と前記傾斜部とのなす角が、外壁コーナ材のコーナ角の許容角度より小さい角度とされてなる
ことを特徴とする外壁コーナ材の加工装置。
【請求項４】
外壁コーナ材端部の位置決めをなす位置決め機構を備えてなることを特徴とする請求項３記載の外壁コーナ材の加工装置。
【請求項５】
位置決め機構の位置決め部材が、外壁コーナ材の角に向けて斜めに昇降させられてなることを特徴とする請求項４記載の外壁コーナ材の加工装置。
【請求項６】
端部切削機構が、回転切削具と、前記回転切削具の進退をなす進退手段、水平移動させる水平移動手段、および昇降させる昇降手段を有してなることを特徴とする請求項３記載の外壁コーナ材の加工装置。
【請求項７】
外壁コーナ材をガイド定盤に押さえつける押さえ機構を備えてなることを特徴とする請求項３記載の外壁コーナ材の加工装置。
【請求項８】
押さえ機構が、外壁コーナ材の上面を押さえる上面押さえ機構と、外壁コーナ材の側面を押さえる側面押さえ機構と、外壁コーナ材の角を押さえる角押さえ機構とを含んでなることを特徴とする請求項７記載の外壁コーナ材の加工装置。
【請求項９】
外壁コーナ材を搬送する搬送機構を備え、前記搬送機構が外壁コーナ材の位置決めをなす位置決めローラーを有してなることを特徴とする請求項３記載の外壁コーナ材の加工装置。
【請求項１０】
側端部加工部を備え、前記側端部加工部が、外壁コーナ材の裏面に所定深さで縦方向に切り込みを入れる縦方向切込機構と、外壁コーナ材の側端から所定深さで横方向に切り込みを入れる横方向切込機構と、外壁コーナ材の上面を押さえる上面押さえ機構と、外壁コーナ材の側面を押さえる側面押さえ機構とを有してなることを特徴とする請求項３記載の外壁コーナ材の加工装置。
【請求項１１】
縦方向切込機構が、縦方向切り込み具を外壁コーナ材の側端に倣わせる倣い機構を有し、
横方向切込機構が、横方向切り込み具を外壁コーナ材の側端に倣わせる倣い機構を有してなる
ことを特徴とする請求項１０記載の外壁コーナ材の加工装置。
【請求項１２】
位置調整機構を備え、前記位置調整機構が、上面押さえ機構の位置調整をなす上面押さえ機構位置調整部と、縦方向切込機構および横方向切込機構の位置調整をなす切込機構位置調整部とを有してなる
ことを特徴とする請求項１０記載の外壁コーナ材の加工装置。
【発明の詳細な説明】
【技術分野】
【０００１】
本発明は外壁コーナ材の加工方法および加工装置に関する。さらに詳しくは、コーナ角が９０度より小さい許容範囲内にある外壁コーナ材端部を一定幅で切削加工できる外壁コーナ材の加工方法および加工装置に関する。
【背景技術】
【０００２】
近年、工業化住宅、いわゆるプレハブ住宅においては、外壁の強度向上、質感の向上などの観点から、その板厚が厚くされるようになってきている。例えば、従来、板厚は１２ｍｍとされていたが、最近、板厚は３３ｍｍとされるようになってきている。
【０００３】
一方、鉄骨などの構造躯体は従来と同様されているので、外壁材の鉄骨などの構造躯体との取合部の切削加工が必要となってきている。
【０００４】
そのため、外壁材の加工装置が種々提案されている（例えば、特許文献１）。
【０００５】
しかしながら、Ｌ字状とされた外壁コーナ材の加工がなし得る加工装置は知られていない。
【０００６】
また、Ｌ字状とされた外壁コーナ材の両面のなす角つまりコーナ角は直角より小さい一定角度まで許容されるので、その小さい角度で製作された外壁コーナ材端部を、いかに一定幅で切削加工するかも課題とされている。
【特許文献１】実用新案登録第３１２５５９６号公報
【発明の開示】
【発明が解決しようとする課題】
【０００７】
本発明はかかる従来技術の課題に鑑みなされたものであって、Ｌ字状とされた外壁コーナ材、とりわけコーナ角が９０度より小さい許容範囲内の角度で製作された外壁コーナ材端部を一定幅で切削加工がなし得る外壁コーナ材の加工方法および加工装置を提供することを主たる目的としている。
【課題を解決するための手段】
【０００８】
本発明の外壁コーナ材の加工方法は、ガイド定盤を用いて外壁コーナ材端部を切削加工する外壁コーナ材の加工方法であって、前記ガイド定盤は、なす角が外壁コーナ材のコーナ角の許容角度より小さい角度とされてなる水平部と傾斜部とを有し、前記外壁コーナ材端部の上面裏面の切削加工を、同上面裏面を前記ガイド定盤の水平部に押しつけてなし、  前記外壁コーナ材端部の側面裏面の切削加工を、同側面裏面を前記ガイド定盤の傾斜部に押しつけてなすことを特徴とする。
【０００９】
本発明の外壁コーナ材の加工方法においては、外壁コーナ材の角をガイド定盤の角に押しつけてなすのが好ましい。
【００１０】
本発明の外壁コーナ材の加工装置は、端部加工部を備え、前記端部加工部が、外壁コーナ材端部の切削をなす端部切削機構と、その切削をガイドする水平部と傾斜部とを有するガイド定盤とを備え、前記水平部と傾斜部とのなす角が、外壁コーナ材のコーナ角の許容角度より小さい角度とされてなることを特徴とする。
【００１１】
本発明の外壁コーナ材の加工装置においては、外壁コーナ材端部の位置決めをなす位置決め機構を備えてなるのが好ましい。
【００１２】
また、本発明の外壁コーナ材の加工装置においては、位置決め機構の位置決め部材が、外壁コーナ材の角に向けて斜めに昇降させられてなるのが好ましい。
【００１３】
さらに、本発明の外壁コーナ材の加工装置においては、端部切削機構が、回転切削具と、前記回転切削具の進退をなす進退手段、水平移動させる水平移動手段、および昇降させる昇降手段を有してなるのが好ましい。
【００１４】
さらに、本発明の外壁コーナ材の加工装置においては、外壁コーナ材をガイド定盤に押さえつける押さえ機構を備えてなるのが好ましい。
【００１５】
さらに、本発明の外壁コーナ材の加工装置においては、押さえ機構が、外壁コーナ材の上面を押さえる上面押さえ機構と、外壁コーナ材の側面を押さえる側面押さえ機構と、外壁コーナ材の角を押さえる角押さえ機構とを含んでなるのが好ましい。
【００１６】
さらに、本発明の外壁コーナ材の加工装置においては、外壁コーナ材を搬送する搬送機構を備え、前記搬送機構が外壁コーナ材の位置決めをなす位置決めローラーを有してなるのが好ましい。
【００１７】
さらに、本発明の外壁コーナ材の加工装置においては、側端部加工部を備え、前記側端部加工部が、外壁コーナ材の裏面に所定深さで縦方向に切り込みを入れる縦方向切込機構と、外壁コーナ材の側端から所定深さで横方向に切り込みを入れる横方向切込機構と、外壁コーナ材の上面を押さえる上面押さえ機構と、外壁コーナ材の側面を押さえる側面押さえ機構とを有してなるのが好ましい。
【００１８】
さらに、本発明の外壁コーナ材の加工装置においては、縦方向切込機構が、縦方向切り込み具を外壁コーナ材の側端に倣わせる倣い機構を有し、横方向切込機構が、横方向切り込み具を外壁コーナ材の側端に倣わせる倣い機構を有してなるのが好ましい。
【００１９】
さらに、本発明の外壁コーナ材の加工装置においては、位置調整機構を備え、前記位置調整機構が、上面押さえ機構の位置調整をなす上面押さえ機構位置調整部と、縦方向切込機構および横方向切込機構の位置調整をなす切込機構位置調整部とを有してなるのが好ましい。
【発明の効果】
【００２０】
本発明によれば、Ｌ字状とされた外壁コーナ材、とりわけコーナ角が９０度より小さい許容範囲内の角度で製作された外壁コーナ材端部を一定の幅で切削加工がなし得るという優れた効果が得られる。
【発明を実施するための最良の形態】
【００２１】
以下、添付図面を参照しながら本発明を実施形態に基づいて説明するが、本発明はかかる実施形態のみに限定されるものではない。
【００２２】
本発明の一実施形態に係る外壁コーナ材の加工方法が適用された外壁コーナ材の加工装置（以下、単に加工装置という）を図１に概略ブロック図で示す。
【００２３】
加工装置Ａは、図１に示すように、外壁コーナ材Ｗ（図２参照）の端部裏面を切削加工する端部加工部１０と、外壁コーナ材Ｗの側端部裏面を長方形状に切り欠く側端部加工部２０とを主要部として備えてなるものとされ、それらがベースＢ上に配設される。
【００２４】
先ず、端部加工部１０について説明する。
【００２５】
端部加工部１０は、図２に示すように、切削をガイドするガイド定盤３０と、外壁コーナ材Ｗ端の位置決めをなす位置決め機構４０と、外壁コーナ材Ｗの端部裏面を切削加工する端部切削機構５０と、外壁コーナ材Ｗの端部を押さえる押さえ機構６０と、外壁コーナ材Ｗの搬送をなす搬送機構７０とを主要構成要素として備えてなるものとされる。
【００２６】
また、押さえ機構６０は、外壁コーナ材Ｗの端部上面を押さえる上面押さえ機構６１と、外壁コーナ材Ｗの端部側面を押さえる側面押さえ機構６２と、外壁コーナ材Ｗの端部角を押さえる角押さえ機構６３とを含むものとされる。
【００２７】
ガイド定盤３０は、図４および図５に示すように、水平部３１と、水平部３１と所定の角度を設けて配設される傾斜部３２とを有する逆Ｌ字状体とされ、端部切削機構５０による外壁コーナ材Ｗ端部の切削加工に支障のない位置において搬送端前部に配設される。
【００２８】
ここで、水平部３１と傾斜部３２とのなす角α（図６参照）は、９０度より小さい所定角度、例えば８８度とされる。これは、外壁コーナ材Ｗの両面のなす角つまりコーナ角β（図６参照）が、９０度より小さい角度、例えば８９度でも製品精度上問題ないとされていることによる。なお、なす角αは、８０度から製品許容角度までとされていればよいが、８５度から製品許容角度までとされているのが好ましい。
【００２９】
位置決め機構４０は、図３および図４に示すように、位置決め部材４１と、位置決め部材４１をガイド定盤３０前方の位置決め水平位置まで水平移動させる水平移動手段４２、例えばガイドを有する水平移動用エアシリンダーと、位置決め水平位置まで水平移動させられた位置決め部材４１を外壁コーナ材Ｗ端との当接位置まで上昇させる昇降手段４３、例えばガイドを有する昇降用エアシリンダーとを含むものとされ、例えばガイド定盤３０の下方に配設される。この場合、昇降手段４３は、位置決め部材４１を外壁コーナ材Ｗの角に向けて斜めに昇降させられるようにされてなるのが、端部切削機構５０による切削に支障を与えない点から好ましい。
【００３０】
端部切削機構５０は、明瞭には図示はされていないが、水平方向に配置された回転切削具５１、例えばルーターと、回転切削具５１を切削位置まで進出させる進退手段と、回転切削具５１を水平移動させる水平移動手段と、回転切削具５１を昇降させる昇降手段とを含むものとされ、回転切削具５１を外壁コーナ材Ｗ端に臨ませて搬送端の前方に配設される（図３参照）。なお、進退手段、水平移動手段および昇降手段は、例えばボールネジとＬＭガイドとを組み合わせてなるものとされる。
【００３１】
端部切削機構５０による切削は、進退手段により回転切削具５１が外壁コーナ材Ｗの端部内側の所定位置まで進出させられた後、水平移動手段および昇降手段の協働により回転切削具５１が移動させられて切削がなされる。すなわち、上面端部内側を切削するときは、昇降手段により切込量が調節された後、水平移動手段により回転切削具５１が水平移動させられながら切削がなされる一方、側面端部内側を切削するときは、水平移動手段により切込量が調節された後、昇降手段により回転切削具５１が降下または上昇させられながら切削がなされる。
【００３２】
ここで、上面端部内側の切削は、上面押さえ機構６１および角押さえ機構６３により外壁コーナ材Ｗの端部がガイド定盤３０の水平部３１に押さえつけられながらなされる一方、側面端部内側の切削は、側面押さえ機構６２および角押さえ機構６３により外壁コーナ材Ｗの端部がガイド定盤３０の傾斜部３２に押さえつけられながらなされる。これにより、コーナ角βが例えば８９度とされていても所定精度での切削がなし得る。つまり、外壁コーナ材Ｗの端部側面Ｗｓ裏面を一定幅ｄで切削加工できる（図１２参照）。
【００３３】
なお、端部切削機構５０は、先端にブラシを有するフードに覆われているのが、粉塵による環境汚染を防止する観点から望ましい。
【００３４】
上面押さえ機構６１は、図４に示すように、押さえ平板６１ａと、押さえ平板６１ａを昇降させる昇降手段６１ｂ、例えばガイドを有するエアシリンダーとを含むものとされ、ガイド定盤３０を跨ぐようにして設けられた、門型フレームＦ１の頂部水平梁Ｆ１ａにガイド定盤３０の水平部３１の上方に位置させて配設される。
【００３５】
なお、図示例では、上面押さえ機構６１は、１機構とされているが、幅広の外壁コーナ材Ｗに対応させるため、２機構以上とされそれらが横並びに配置されてもよい。
【００３６】
側面押さえ機構６２は、図４に示すように、押さえ平板６２ａと、押さえ平板６２ａを進退させる進退手段６２ｂ、例えばガイドを有するエアシリンダーとを含むものとされ、ガイド定盤３０を跨ぐようにして設けられた、門型フレームＦ１の支柱Ｆ１ｂに押さえ平板をガイド定盤３０の傾斜部３２に対向させて配設されている。つまり、押さえ平板６２ａの押さえ面を傾斜部３２のガイド面に平行にして配設されている。
【００３７】
なお、図示例では、側面押さえ機構６２は、１機構とされているが、幅広の外壁コーナ材Ｗに対応させるため、２機構以上とされそれらが上下に配置されてもよい。
【００３８】
角押さえ機構６３は、図４に示すように、外壁コーナ材Ｗの角を臨む辺の当該角に対応する箇所が二等辺三角形状に切り欠かれた押さえ平板６３ａと、押さえ平板６３ａを進退させる進退手段６３ｂ、例えばガイドを有するエアシリンダーとを含むものとされ、ガイド定盤３０を跨ぐようにして設けられた、門型フレームＦ１の頂部にガイド定盤３０の角部に押さえ平板６３ａの切り欠を対向させて配設されている。
【００３９】
搬送機構７０は、図３および図５に示すように、水平に所定間隔で配設された所要数の搬送ローラー７１，７１，７１・・・と、搬送ローラー７１を駆動する駆動手段、例えばチェーン駆動機構（図省略）と、外壁コーナ材Ｗの側面裏面の位置決めをなす搬送ローラー間７１，７１の外壁コーナ材Ｗの搬送側に設けられた位置決めローラー７２，７２，７２，・・・と、搬送ローラー７１，７１，７１・・・および位置決めローラー７２，７２，７２，・・・が載置される架台７３とを含むものとされる。
【００４０】
次に、側端部加工部２０について説明する。
【００４１】
側端部加工部２０は、図７に示すように、外壁コーナ材Ｗ側端裏面に縦方向から所定深で切り込みを入れる縦方向切り込み機構１１０と、その下流に配置され外壁コーナ材Ｗ側端に横方向から所定深で切り込みを入れる横方向切り込み機構１２０と、搬送機構１３０と、外壁コーナ材Ｗ側面を押さえて主として横方向切り込み機構１２０の切り込みを助勢する側面押さえ機構１４０と、外壁コーナ材Ｗ上面を押さえて主として縦方向切り込み機構１１０の切り込みを助勢する上面押さえ機構１５０と、位置調整機構１６０とを主要構成要素として備えてなるものとされる。
【００４２】
ここで、位置調整機構１６０は、外壁コーナ材Ｗ上面の幅に合わせて上面押さえ機構１５０、ならびに縦方向および横方向切り込み機構１１０，１２０の位置を調整するものとされる（図７（ｂ）参照）。
【００４３】
縦方向切り込み機構１１０は、図８に示すように、縦方向回転切り込み具１１１、例えば縦方向に配置された回転鋸と、縦方向回転切り込み具１１１を外壁コーナ材Ｗの上面側端に倣わせる倣い機構１１２とを含むものとされる。
【００４４】
倣い機構１１２は、縦方向回転切り込み具１１１の両脇に所定距離控えて配置された一対の倣いローラー１１３，１１３と、一対の倣いローラー１１３，１１３および縦方向回転切り込み具１１１を保持する保持部材１１４と、保持部材１１４を外壁コーナ材Ｗの側面に向けて付勢して一対の倣いローラー１１３，１１３を外壁コーナ材Ｗの上面側端に倣わせる付勢手段１１５、例えばエアバネとを含むものとされる。
【００４５】
横方向切り込み機構１２０は、図８に示すように、横方向回転切り込み具１２１、例えば水平に配置された回転鋸と、横方向回転切り込み具１２１を外壁コーナ材Ｗの上面側端に倣わせる倣い機構１２２とを含むものとされる。
【００４６】
倣い機構１２２は、横方向回転切り込み具１２１の切り込み部の両脇に所定距離控えて配置された一対の倣いローラー１２３，１２３と、一対の倣いローラー１２３，１２３および水平回転切り込み具１２１を保持する保持部材１２４と、保持部材１２４を外壁コーナ材Ｗの側面に向けて付勢して一対の倣いローラー１２３，１２３を外壁コーナ材Ｗの上面側端に倣わせる付勢手段１２５、例えばエアバネとを含むものとされる。
【００４７】
搬送機構１３０は、端部加工部１０の搬送機構７０と同様に、水平に所定間隔で配設された所要数の搬送ローラーと、搬送ローラーを駆動する駆動手段、例えばチェーン駆動機構と、外壁コーナ材Ｗの側面裏面の位置決めをなす搬送ローラー間に設けられた位置決めローラーと、搬送ローラーおよび位置決めローラーが載置される架台とを含むものとされる。
【００４８】
側面押さえ機構１４０は、図９に示すように、エンドレスとされた押さえベルト１４１と、押さえベルト１４１を駆動する駆動輪１４２と、駆動輪１４２の駆動を補助する従動輪１４３と、押さえベルト１４１を外壁コーナ材Ｗ側面に向けて弾発的に付勢する所要数の補助輪１４４，１４４，１４４，・・・と、それらを保持する保持部材（図示省略）とを含むものとされ、押さえベルト１４１を外壁コーナ材Ｗの側面に当接可能に搬送機構１３０の搬送ローラーの一側端側下方に配設される。
【００４９】
上面押さえ機構１５０は、図１０に示すように、エンドレスとされた押さえベルト１５１と、押さえベルト１５１を駆動する駆動輪１５２と、駆動輪１５２の駆動を補助する従動輪１５３と、押さえベルト１５１を外壁コーナ材Ｗ側面に向けて弾発的に付勢する所要数の補助輪１５４，１５４，１５４，・・・と、それらを保持する保持部材１５５とを含むものとされ、押さえベルト１５１を外壁コーナ材Ｗの上面に当接可能に搬送機構１３０の搬送ローラーの一側端部上方に配設される。
【００５０】
位置調整機構１６０は、外壁コーナ材Ｗのサイズ、つまり上面の幅に応じて縦方向切り込み機構１１０、横方向切り込み機構１２０および上面押さえ機構１５０を加工位置に水平移動させて位置調整をなすものとされる。
【００５１】
位置調整機構１６０は、具体的には、上面押さえ機構１５０を位置調整する上面押さえ機構位置調整部１７０と、縦方向切り込み機構１１０と横方向切り込み機構１２０とを一体的に位置調整する切り込み機構位置調整部１８０とを含むものとされる（図７（ｂ）参照）。
【００５２】
上面押さえ機構位置調整部１７０は、上面押さえ機構１５０を保持している水平移動部材１７１と、水平移動部材１７１の一端に係合され同水平移動部材１７１を搬送機構１３０の幅方向に水平移動させる水平移動手段と、水平移動部材１７１の他端に係合され水平移動手段による同水平移動部材１７１の水平移動をガイドするガイド手段とを含むものとされる。
【００５３】
水平移動手段は、搬送機構１３０を跨ぐようにして設けられた、門型フレームＦ２の頂部水平梁Ｆ２ａに装着される。また、ガイド手段は、搬送機構１３０を跨ぐようにして設けられた、門型フレームＦ３の頂部水平梁Ｆ３ａに装着される。なお、水平移動手段は、例えばボールネジとＬＭガイドとを組み合わせてなるものとされ、ガイド手段は、例えばＬＭガイドとされる。
【００５４】
切り込み機構位置調整部１８０は、縦方向切り込み機構１１０および横方向切り込み機構１２０を保持している水平移動部材１８１と、水平移動部材１８１の一端に係合され同水平移動部材１８１を搬送機構１３０の幅方向に水平移動させる水平移動手段と、水平移動部材１８１の他端に係合され水平移動手段による同水平移動部材１８１の水平移動をガイドするガイド手段とを含むものとされる。
【００５５】
水平移動手段は、搬送機構１３０を跨ぐようにして設けられた、門型フレームＦ２の頂部水平梁Ｆ２ａに装着される。また、ガイド手段は、搬送機構１３０を跨ぐようにして設けられた、門型フレームＦ３の頂部水平梁Ｆ３ａに装着される。なお、水平移動手段は、例えばボールネジとＬＭガイドとを組み合わせてなるものとされ、ガイド手段は、例えばＬＭガイドとされる。
【００５６】
このように、水平移動部材１８１はその両端が支持されているので、水平移動部材１８１に生ずる撓みが低減され、精度のよい加工がなし得る。
【００５７】
図１２に、本実施形態に係る加工装置Ａにより加工がなされた外壁コーナ材Ｗを示す。
【００５８】
以上、本発明を実施形態に基づいて説明してきたが、本発明はかかる実施形態のみに限定されるものではなく、種々改変が可能である。例えば、実施形態では端部加工部１０と側端部加工部２０とは、ベースＢ上に縦列状に配置されているが、端部加工部１０と側端部加工部２０とは、必ずしもベースＢ上に縦列状に配置されている必要はなく、それぞれ単独で用いられてもよい。
【産業上の利用可能性】
【００５９】
本発明は、外壁コーナ材の加工に適用できる。
【図面の簡単な説明】
【００６０】
【図１】本発明の一実施形態に係る外壁コーナ材の加工装置の概略ブロック図である。
【図２】同加工装置の端部加工部のブロック図である。
【図３】同端部加工部の正面図である。
【図４】図３の矢視ＩＶ−ＩＶ図である。
【図５】同端部加工部の端部切削機構を省略した平面図である。
【図６】ガイド定盤および外壁コーナ材のコーナ角の説明図である。
【図７】同加工装置の側端部加工部のブロック図である。
【図８】同側端部加工部の切込機構の平面図である。
【図９】同側端部加工部の側面押さえ機構の概略図である。
【図１０】同側端部加工部の上面押さえ機構の概略図である。
【図１１】同側端部加工部の位置調整機構の概略図である。
【図１２】同加工装置による加工例の２面図である。
【符号の説明】
【００６１】
１０      端部加工部
２０      側端部加工部
３０      ガイド定盤
３１      水平部
３２      傾斜部
４０      位置決め機構
５０      端部切削機構
６０      押さえ機構
６１      上面押さえ機構
６２      側面押さえ機構
６３      角押さえ機構
７０      搬送機構
１１０      縦方向切込機構
１２０      横方向切込機構
１３０      搬送機構
１４０      側面押さえ機構
１５０      上面押さえ機構
１６０      位置調整機構
Ａ      外壁コーナ材の加工装置
Ｂ      ベース
Ｆ      門型フレーム
Ｗ      外壁コーナ材
【図１】
2008200965.tif 000003
【図２】
2008200965.tif 000004
【図３】
2008200965.tif 000005
【図４】
2008200965.tif 000006
【図５】
2008200965.tif 000007
【図６】
2008200965.tif 000008
【図７】
2008200965.tif 000009
【図８】
2008200965.tif 000010
【図９】
2008200965.tif 000011
【図１０】
2008200965.tif 000012
【図１１】
2008200965.tif 000013
【図１２】
2008200965.tif 000014